(57)【要約】【課題】表示されるべきコンテンツをスクロールする際の追従性を向上させること。【解決手段】携帯端末は、取得されたコンテンツに基づいて生成された表示画像を表示する表示部と、該表示部の画面を仮想的に分割した分割領域のうち、接触された分割領域を検出する接触分割領域検出部と、分割領域と、コンテンツに基づいて生成する表示画像のうち優先して表示画像を生成すべきエリアとを対応付けたテーブルと、表示部の画面に接触された際に、テーブルを参照し、検出された分割領域に対応するエリアを特定し、コンテンツのうち特定されたエリアに対応する表示画像を生成する画像処理部と、接触された位置の移動に従って、画像処理部により生成された表示画像を表示部に表示する表示制御部とを有する。【選択図】図６
2012194794.tif 000002
【特許請求の範囲】
【請求項１】
取得されたコンテンツに基づいて生成された表示画像を表示する表示部と、
該表示部の画面を仮想的に分割した分割領域のうち、接触された分割領域を検出する接触分割領域検出部と、
分割領域と、前記コンテンツに基づいて生成する表示画像のうち優先して表示画像を生成すべきエリアとを対応付けたテーブルと、
前記表示部の画面に接触された際に、前記テーブルを参照し、前記接触分割領域検出部により検出された分割領域に対応するエリアを特定し、前記コンテンツのうち特定された前記エリアに対応する表示画像を生成する画像処理部と、
前記接触された位置の移動に従って、前記画像処理部により生成された表示画像を前記表示部に表示する表示制御部と
を有する、携帯端末。
【請求項２】
請求項１に記載の携帯端末において、
表示画像のサイズごとの、前記テーブルと、
表示画像のサイズを判別するコンテンツサイズ判別部と
を有し、
前記画像処理部は、前記コンテンツサイズ判別部により判別された表示画像のサイズに応じたテーブルを参照する、携帯端末。
【請求項３】
請求項２に記載の携帯端末において、
前記コンテンツサイズ判別部は、前記表示画像の縦の長さ、及び横の長さに基づいて、前記サイズを判別する、携帯端末。
【請求項４】
請求項１に記載の携帯端末において、
前記接触分割領域検出部は、アンカー以外の領域に接触された場合に、該分割領域を検出する、携帯端末。
【請求項５】
取得されたコンテンツに基づいて生成された表示画像を表示する表示部を備えた携帯端末により実行されるコンテンツ表示プログラムであって、
前記携帯端末に、
前記表示部の画面を仮想的に分割した分割領域のうち、接触された分割領域を検出し、
前記表示部の画面に接触された際に、分割領域と、前記コンテンツに基づいて生成する表示画像のうち優先して表示画像を生成すべきエリアとを対応付けたテーブルを参照し、検出された分割領域に対応するエリアを特定し、前記コンテンツのうち特定された前記エリアに対応する表示画像を生成し、
前記接触された位置の移動に従って、生成された前記表示画像を前記表示部に表示する処理を実行させることを特徴とするコンテンツ表示プログラム。
【発明の詳細な説明】
【技術分野】
【０００１】
本発明は、携帯端末に関する。
【背景技術】
【０００２】
タッチパネルを有する携帯端末が知られている。
【０００３】
該タッチパネルに表示されるウェブコンテンツには、該タッチパネルに表示できる領域より、該ウェブコンテンツの表示領域の方が広い場合がある。この場合、該タッチパネルに表示されたウェブコンテンツの一部に触れたまま、その位置をずらすことにより、該タッチパネルに表示されるコンテンツをずらすことができる。タッチパネルに表示されるコンテンツをずらすことにより、該タッチパネルに表示しきれない部分を表示できるため、ウェブコンテンツの全体を見ることができる。
【０００４】
表示しきれない部分を表示させる方法として、スクロール方向を検知し、該スクロール方向にある表示用データを先読みする方法が知られている（例えば、特許文献１参照）。
【先行技術文献】
【特許文献】
【０００５】
【特許文献１】特開２００６−３４３８４６号公報
【発明の概要】
【発明が解決しようとする課題】
【０００６】
ブラウザによっては、コンテンツを描画する際に、HTML(HyperText Markup Language)を解釈し、タッチパネルのサイズに合わせるようにレンダリングを行うことができる。
【０００７】
しかし、コンテンツに多くの画像や動画が含まれる場合には、レンダリングの処理に時間がかかる。レンダリングの処理に時間がかかるため、利用者は、快適なスクロールを行えない。
【０００８】
さらに、特許文献１に記載されている方法では、「連続スクロール」動作が指定されたときだけ複数の画面が先読みされるため、スクロールが発生しない限りは先読みされない。従って、先読み処理が開始されるまで、時間的なロスが発生する。
【０００９】
開示の携帯端末は、表示されるべきコンテンツをスクロールする際の追従性を向上させることを目的とする。
【課題を解決するための手段】
【００１０】
開示の一実施例の携帯端末は、
取得されたコンテンツに基づいて生成された表示画像を表示する表示部と、
該表示部の画面を仮想的に分割した分割領域のうち、接触された分割領域を検出する接触分割領域検出部と、
分割領域と、前記コンテンツに基づいて生成する表示画像のうち優先して表示画像を生成すべきエリアとを対応付けたテーブルと、
前記表示部の画面に接触された際に、前記テーブルを参照し、前記接触分割領域検出部により検出された分割領域に対応するエリアを特定し、前記コンテンツのうち特定された前記エリアに対応する表示画像を生成する画像処理部と、
前記接触された位置の移動に従って、前記画像処理部により生成された表示画像を前記表示部に表示する表示制御部と
を有する、携帯端末。
【発明の効果】
【００１１】
開示の実施例によれば、表示されるべきコンテンツをスクロールする際の追従性を向上させることができる。
【図面の簡単な説明】
【００１２】
【図１】コンテンツ領域、及び表示領域の一実施例を示す図である。
【図２】表示領域における画面エリアの一実施例を示す図である。
【図３】画像先読みテーブル（その１）の一実施例を示す図である。
【図４】画像先読みテーブル（その２）の一実施例を示す図である。
【図５】携帯端末の一実施例を示すブロック図である。
【図６】携帯端末の一実施例を示す機能ブロック図である。
【図７】携帯端末の動作の一実施例を示すフローチャートである。
【図８】携帯端末の動作の一実施例を示すフローチャートである。
【図９】コンテンツ領域と、表示領域との対応の一変形を示す図である。
【図１０】表示領域における画面エリアの一変形例を示す図である。
【図１１】画像先読みテーブルの一変形例を示す図である。
【発明を実施するための形態】
【００１３】
以下、図面に基づいて、実施例を説明する。
なお、実施例を説明するための全図において、同一機能を有するものは同一符号を用い、繰り返しの説明は省略する。
【００１４】
＜携帯端末＞
本携帯端末１００は、表示すべきコンテンツの一部の領域を表示する。表示すべきコンテンツの一部の領域が表示される場合には、画面に表示できる領域より、コンテンツの領域の方が広い場合が含まれる。また、表示すべきコンテンツの一部の領域が表示される場合には、画面に表示できる領域以上に、コンテンツの領域が拡大される場合が含まれる。以下、画面に表示できる領域を「表示領域」といい、コンテンツの領域を「コンテンツ領域」という。また、コンテンツは、ウェブコンテンツ等が含まれる。該コンテンツは、ネットワーク、つまりサーバから提供されるものが含まれる。
【００１５】
図１は、コンテンツ領域、及び表示領域の一実施例を示す。図１に示される例では、コンテンツ領域は、PS(X0,Y0)、PS(XE,Y0)、PS(X0,YE)、PS(XE,YE)により表される。また、表示領域は、PS((XE-X0)/3, (YE-Y0)/3)、PS(2(XE-X0)/3, (YE-Y0)/3)、PS((XE-X0)/3, 2(YE-Y0)/3)、PS(2(XE-X0)/3, 2(YE-Y0)/3)により表される。さらに、図１に示される例では、コンテンツ領域が９の領域に、仮想的に分割されている。各領域の面積は、表示領域の面積と略同一であってもよい。本携帯端末１００は、１の領域に相当するコンテンツ領域を表示できる。コンテンツ領域のうち、表示領域に対して、上側の領域を「エリア１」、下側の領域を「エリア２」、左側の領域を「エリア３」、右側の領域を「エリア４」と呼ぶ。
【００１６】
ユーザは、コンテンツ領域のうち、画面に表示されていない部分を見たい場合には、該画面に触れた状態のまま、該触れた位置をずらすことにより、該画面に表示しきれない部分を表示できる。例えば、該触れた位置をずらすことにより、コンテンツ領域のうち、表示可能領域に対して、該ずらした方向と反対側のコンテンツ領域を表示できる。例えば、触れた位置を下側にずらすことにより上側のコンテンツ領域（エリア１）を見ることができる。また、例えば、触れた位置を上側にずらすことにより下側のコンテンツ領域（エリア２）を見ることができる。また、例えば、触れた位置を右側にずらすことにより左側のコンテンツ領域（エリア３）を見ることができる。また、例えば、触れた位置を左側にずらすことにより右側のコンテンツ領域（エリア４）を見ることができる。
【００１７】
本携帯端末１００では、画面が複数の領域に仮想的に分割されることにより複数の画面エリアが形成される。つまり、表示領域が、複数の領域に仮想的に分割される。
【００１８】
図２は、画面エリアの一実施例を示す。図２に示される例では、画面が４の分割領域（画面エリアA、画面エリアB、画面エリアC、画面エリアD）に仮想的に分割される例が示される。分割数は、２個−３個であってもよいし、５個以上であってもよい。
【００１９】
本携帯端末１００は、ユーザが画面に触れた際に、該触れた位置を検出する。以下該触れた位置を表す情報を「接触位置」という。該「接触位置」のうち、最初に触れた「接触位置」を「初期接触位置」という。ここで、最初に触れることには、触れた後に離して、再度触れた場合も含む。該携帯端末１００は、初期接触位置を含む画面エリアを検出する。図２では、初期接触位置を含む分割領域が画面エリアDである例を示す。
【００２０】
図２に示される例では、初期接触位置から上方向（矢印（１））に接触位置がずれることによりエリア２が表示され、初期接触位置から左方向（矢印（２））に接触位置がずれることによりエリア４が表示される。
【００２１】
該携帯端末１００では、画面エリアと、該画面エリアに初期接触位置が含まれる場合に、優先して画像を取得すべきエリアとが対応付けられる。具体的に説明する。該携帯端末１００では、画面エリアと、該画面エリアに初期接触位置が含まれる場合に、該初期接触位置から接触位置がずれる可能性が高い方向とが対応付けられる。該接触位置がずれる可能性が高い方向は上下、左右により表されてもよい。さらに、可能であれば、斜め方向により表されてもよい。初期接触位置から接触位置がずれる可能性が高い方向の順番が設定されてもよい。さらに、該携帯端末１００では、コンテンツ領域のうち、表示領域に対して、初期接触位置から接触位置がずれる可能性が高い方向とは逆の方向の領域が設定される。表示領域に対して、初期接触位置から接触位置がずれる可能性が高い方向とは逆の方向の領域は、優先して画像を取得するエリアとされる。以下、初期接触位置から接触位置がずれる可能性が高い方向とは逆の領域を「部分コンテンツ領域」という。
【００２２】
該携帯端末１００は、ユーザが画面に触れた際に、初期接触位置に基づいて、部分コンテンツ領域を表示するための処理を実行する。具体的には、初期接触位置に基づいて、部分コンテンツ領域の画像を取得する処理を実行する。画像を取得する処理は、初期接触位置から接触位置がずれる可能性が高い方向の順に設定された部分コンテンツ領域の順に実行されてもよい。なお、この場合の「画像の取得」とは、例えば外部から取得したＨＴＭＬデータを解釈することで表示用画像を生成することを言う。外部から取得したＨＴＭＬデータは、一旦ＲＡＭ１１２４に格納される。次に、当該ＨＴＭＬデータを解釈し、例えばビットマップデータ等の表示用画像を生成してこれを表示する。この時、プロセッサ１１８の性能によっては、全ての表示用画像の生成に処理時間を要する場合がある。上述のように、部分的な表示用画像を生成するように構成すれば、スクロール性能の向上が可能となる。
【００２３】
該携帯端末１００は、画面エリアと、該画面エリアに初期接触位置が含まれる場合に優先して画像を取得すべき部分コンテンツ領域とを対応付けたテーブル（以下、「画面先読みテーブル」という）を有する。
【００２４】
＜画像先読みテーブル（その１）＞
図３は、画像先読みテーブルの一実施例を示す。図３には、縦の長さが横の長さよりも長いコンテンツ領域について示される。以下、図３に示される画像先読みテーブルを「縦長コンテンツ用画像先読みテーブル」という。図３に示される例では、画面エリアと、該画面エリアに初期接触位置が含まれる場合に優先して画像を取得すべき部分コンテンツ領域とが対応付けられる。つまり、画面エリアと、画像を取得すべき部分コンテンツ領域の優先順位（優先度）とが対応付けられる。例えば、部分コンテンツ領域は、表示領域と略同一の範囲であってもよい。
【００２５】
初期接触位置がエリアＡに含まれる場合、該初期接触位置から、下、右に接触位置がずれる可能性よりも、上、左に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、下、右、上、左の順であると想定される。従って、画面エリアＡに対応する部分コンテンツを取得する順番は、エリア１、エリア３、エリア２、エリア４の順となる。
【００２６】
初期接触位置がエリアＢに含まれる場合、該初期接触位置から、下、左に接触位置がずれる可能性よりも、上、右に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、下、左、上、右の順であると想定される。従って、画面エリアＢに対応する部分コンテンツを取得する順番は、エリア１、エリア４、エリア２、エリア３の順となる。
【００２７】
初期接触位置がエリアＣに含まれる場合、該初期接触位置から、上、右に接触位置がずれる可能性よりも、下、左に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、上、右、下、左の順であると想定される。従って、画面エリアＣに対応する部分コンテンツを取得する順番は、エリア２、エリア３、エリア１、エリア４の順となる。
【００２８】
初期接触位置がエリアＤに含まれる場合、該初期接触位置から、上、左に接触位置がずれる可能性よりも、下、右に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、上、左、下、右の順であると想定される。従って、画面エリアＤに対応する部分コンテンツを取得する順番は、エリア２、エリア４、エリア１、エリア３の順となる。
【００２９】
＜画像先読みテーブル（その２）＞
図４は、画像先読みテーブルの一実施例を示す。図４には、横の長さが縦の長さよりも長いコンテンツ領域について示される。以下、図４に示される画像先読みテーブルを「横長コンテンツ用画像先読みテーブル」という。図４に示される例では、画面エリアと、該画面エリアに初期接触位置が含まれる場合に優先して画像を取得すべき部分コンテンツ領域とが対応付けられる。つまり、画面エリアと、画像を取得すべき部分コンテンツ領域の優先順位（優先度）とが対応付けられる。例えば、部分コンテンツ領域は、表示領域と略同一の範囲であってもよい。
【００３０】
初期接触位置がエリアＡに含まれる場合、該初期接触位置から、下、右に接触位置がずれる可能性よりも、上、左に接触位置がずれる可能性は低いと想定される。さらに、コンテンツ領域は、横の長さが縦の長さよりも長いため、上下よりも、左右に接触位置がずれる可能性が高いと想定される。この場合、接触位置がずれる可能性が高い方向は、右、下、左、上の順であると想定される。従って、画面エリアＡに対応する部分コンテンツを取得する順番は、エリア３、エリア１、エリア４、エリア２の順となる。
【００３１】
初期接触位置がエリアＢに含まれる場合、該初期接触位置から、下、左に接触位置がずれる可能性よりも、上、右に接触位置がずれる可能性は低いと想定される。さらに、コンテンツ領域は、横の長さが縦の長さよりも長いため、上下よりも、左右に接触位置がずれる可能性が高いと想定される。この場合、接触位置がずれる可能性が高い方向は、左、下、右、上の順であると想定される。従って、画面エリアＢに対応する部分コンテンツを取得する順番は、エリア４、エリア１、エリア３、エリア２の順となる。
【００３２】
初期接触位置がエリアＣに含まれる場合、該初期接触位置から、上、右に接触位置がずれる可能性よりも、下、左に接触位置がずれる可能性は低いと想定される。さらに、コンテンツ領域は、横の長さが縦の長さよりも長いため、上下よりも、左右に接触位置がずれる可能性が高いと想定される。この場合、接触位置がずれる可能性が高い方向は、右、上、左、下の順であると想定される。従って、画面エリアＣに対応する部分コンテンツを取得する順番は、エリア３、エリア２、エリア４、エリア１の順となる。
【００３３】
初期接触位置がエリアＤに含まれる場合、該初期接触位置から、上、左に接触位置がずれる可能性よりも、下、右に接触位置がずれる可能性は低いと想定される。さらに、コンテンツ領域は、横の長さが縦の長さよりも長いため、上下よりも、左右に接触位置がずれる可能性が高いと想定される。この場合、接触位置がずれる可能性が高い方向は、左、上、右、下の順であると想定される。従って、画面エリアＤに対応する部分コンテンツを取得する順番は、エリア４、エリア２、エリア３、エリア１の順となる。
【００３４】
該携帯端末１００は、初期接触位置から接触位置がずれた場合に、該ずれた方向と反対側のコンテンツ領域を表示する。例えば、ユーザが画面に触れた際に、画像先読みテーブルを参照し、優先して取得した画像を利用して表示する。ユーザが画面に触れた際に、優先して画像を取得すべき部分コンテンツ領域の画像を取得する処理が実行されているので、接触位置のずれに応じて、スムーズに表示領域をずらすことができる。さらに、接触位置のずれが継続した場合、本携帯端末１００は、該接触位置のずれに従って、所定の周期で、該接触位置を初期接触位置とみなして、部分コンテンツ領域の画像を取得する処理を実行するようにしてもよい。
【００３５】
また、該携帯端末１００は、ユーザが画面に触れた後に、離した場合には、画像を取得する処理を中止する。具体的には、初期接触位置に基づいて取得していた画像を削除する。初期接触位置に基づいて取得していた画像が削除されることにより、画像を取得するために使用されるべき記憶領域を削減できる。
【００３６】
図５は、本携帯端末１００の一実施例を示す。図５には、主にハードウェア構成が示される。
【００３７】
本携帯端末１００は、無線部１０２を有する。無線部１０２は、当該無線部１０２と接続されたアンテナ１０４を介して基地局（図示なし）との間で、データの送受信を行う。例えば、無線部１０２は、プロセッサ１１８により入力されるべきデータを無線信号に変換し、アンテナ１０４から送信する。また、無線部１０２は、アンテナ１０４からの無線信号をベースバンド信号に変換し、プロセッサ１１８に入力する。
【００３８】
本携帯端末１００は、オーディオ入出力部１０６を有する。オーディオ入出力部１０６は、当該オーディオ入出力部１０６と接続されたスピーカ１０８から、プロセッサからの音を出力する。また、オーディオ入出力部１０６は、当該オーディオ入出力部１０６と接続されたマイク１１０からの音をプロセッサに入力する。
【００３９】
本携帯端末１００は、記憶部１１２を有する。該記憶部１１２には、ROM１１２２と、RAM１１２４とが含まれる。記憶部１１２には、アプリケーションプログラムと、オペレーティングシステム(OS: Operating System)と、タッチパネルドライバと、画像先読みテーブルとが格納される。例えば、記憶部１１２は、コンピュータ内でデータやプログラムを記憶する外部記憶装置であってもよい。例えば、ハードディスク(hard disk, fixed disk)などが含まれる。アプリケーションプログラムは、ユーザが本携帯端末１００上で実行する作業を実施する機能を有するソフトウェアである。例えば、アプリケーションプログラムには、ワードプロセッサ、表計算ソフト、データベース管理システム(DBMS: Data Base Management System)、メディアプレーヤーなどが含まれてもよい。オペレーティングシステムは、本携帯端末１００において、ハードウェアを抽象化したインターフェースをアプリケーションソフトウェアに提供するソフトウェアである。該オペレーティングシステムは、タッチパネル機能に対応している。タッチパネルドライバは、オペレーティングシステムとして機能するプロセッサ１１８に対して、入力部１１６との間のインターフェースを提供するためのソフトウェアである。
【００４０】
本携帯端末１００は、表示部１１４を有する。表示部１１４は、例えば、ディスプレイにより構成され、当該携帯端末１００による処理状態や処理結果を表示する。該処理状態や処理結果には、オペレーティングシステムやアプリケーションプログラムによるものが含まれる。ディスプレイには、液晶ディスプレイ、有機EL(Electro-Luminescence)ディスプレイなどが含まれてもよい。
【００４１】
本携帯端末１００は、入力部１１６を有する。入力部１１６には、例えば、タッチパネルが含まれる。該タッチパネルは、タッチスクリーンやタッチ画面などと呼ばれてもよい。該入力部１１６と、表示部１１４とが一体化されていてもよい。入力部１１６は、当該携帯端末１００への指示や、データの入力を行うための装置である。該指示は、オペレーティングシステムに対するものや、アプリケーションプログラムに対するものが含まれる。
【００４２】
本携帯端末１００は、プロセッサ１１８を有する。該プロセッサ１１８は、無線部１０２、オーディオ入出力部１０６、記憶部１１２、表示部１１４、及び入力部１１６と接続される。
【００４３】
＜携帯端末の機能＞
図６は、本携帯端末１００の一実施例を示す機能ブロック図である。図６には、プロセッサ１１８により実行される機能が主に示される。これらの機能は、記憶部１１２に格納されているプログラムがプロセッサ１１８により実行されることによって起動されるプロセスにより実現される。
【００４４】
本携帯端末１００に対してコンテンツを表示する操作が行われると、コンテンツ領域の一部が表示される場合がある。例えば、表示領域よりも、コンテンツ領域の方が広い場合である。また、表示領域よりも、コンテンツ領域の方が狭い場合であっても、コンテンツ領域が拡大される場合には、コンテンツ領域の一部が表示される場合がある。
【００４５】
本携帯端末１００は、表示すべきコンテンツのサイズを判定し、対応する画像先読みテーブルを用意する。つまり、表示すべきコンテンツの縦の長さと横の長さとに基づいて、使用すべき画像先読みテーブルを用意する。具体的には、表示すべきコンテンツが横長のコンテンツであるか、縦長のコンテンツであるかに応じて、使用すべき画像先読みテーブルが用意される。表示すべきコンテンツが正方形である場合には、どちらの画像先読みテーブルが用意されてもよい。
【００４６】
ユーザが本携帯端末１００の画面に触れた際に、本携帯端末１００は、該初期接触位置を検出する。本携帯端末１００は、画像先読みテーブルを参照し、該初期接触位置を含む画面エリアに対応する部分コンテンツ領域の画像を取得する処理を実行する。つまり、本携帯端末１００は、画像先読みテーブルに基づいて、部分コンテンツ領域に含まれる画像を取得する。本携帯端末１００は、初期接触位置から接触位置がずれた場合に、取得されるべき部分コンテンツの画像を利用して、該ずれた方向と反対側のコンテンツ領域を表示する。例えば、ユーザが画面に触れた際に取得されるべき部分コンテンツ領域を表示する。
【００４７】
また、該携帯端末１００は、ユーザが画面に触れた後に、離した際には、部分コンテンツ領域に含まれる画像を取得する処理を中止する。
【００４８】
本携帯端末１００により実行される機能には、無線制御部１１８２により実行される機能が含まれる。無線制御部１１８２は、入力制御部１１９０により入力されるべきコンテンツの取得要求に従って、無線部１０２に、コンテンツを取得するためのコンテンツ取得命令を入力する。また、無線制御部１１８２は、表示制御部１１８４、先行画像処理部１１８６、及びレンダリング部１１８８に、コンテンツ取得命令に応じて無線部１０２により入力されるべきコンテンツを入力する。
【００４９】
本携帯端末１００により実行される機能には、表示制御部１１８４により実行される機能が含まれる。表示制御部１１８４は、表示部１１４に、無線制御部１１８２により入力されるべきコンテンツを表示するための制御を行う。例えば、表示部１１４の表示領域に、無線制御部１１８２により入力されるべきコンテンツのコンテンツ領域の一部しか表示できない場合、該コンテンツ領域の一部を表示するための制御を行う。さらに、表示制御部１１８４は、入力制御部１１９０により入力されるべき接触位置を表す情報に従って、先行画像処理部１１８６からの部分コンテンツ領域の画像処理の結果を利用して部分コンテンツ領域を表示するための制御を行う。表示制御部１１８４は、先行画像処理部１１８６に、部分コンテンツ領域の画像処理の結果を要求するようにしてもよい。また、表示制御部１１８４は、レンダリング部１１８８によりレンダリングされたコンテンツが入力された場合には、先行画像処理部１１８６から部分コンテンツ領域の画像処理の結果を取得する必要は、必ずしもない。レンダリング部１１８８により、画面のサイズに合うように、コンテンツが加工されているためである。
【００５０】
本携帯端末１００により実行される機能には、先行画像処理部１１８６により実行される機能が含まれる。先行画像処理部１１８６は、無線制御部１１８２により入力されるべきコンテンツに基づいて、該コンテンツのサイズを判定する。先行画像処理部１１８６は、コンテンツのサイズの判定結果に基づいて、記憶部１１２に格納されるべき複数の画像先読みテーブルから使用すべき画像先読みテーブルを用意する。つまり、表示すべきコンテンツの縦の長さと横の長さとに基づいて、使用すべき先読みテーブルを用意する。具体的には、縦長コンテンツ用画像先読みテーブル及び横長コンテンツ用画像先読みテーブルのいずれか一方が用意される。画像先読みテーブルを用意する処理は、記憶部１１２に複数の画像先読みテーブルが格納される場合に実行される。
【００５１】
また、先行画像処理部１１８６は、入力制御部１１９０により入力されるべき初期接触位置に基づいて、画像先読みテーブルを参照し、該初期接触位置を含む画面エリアに対応する部分コンテンツ領域に含まれる画像を取得する処理を実行する。さらに、表示制御部１１８４からの画像要求に応じて、該当する部分コンテンツ領域に含まれる画像を出力する。
【００５２】
本携帯端末１００により実行される機能には、レンダリング部１１８８により実行される機能が含まれる。レンダリング部１１８８は、無線制御部１１８２により入力されるべきコンテンツに基づいて、レンダリングを行う。該レンダリング部１１８２は、表示制御部１１８４に、レンダリングされたコンテンツを入力する。
【００５３】
本携帯端末１００により実行される機能には、入力制御部１１９０により実行される機能が含まれる。入力制御部１１９０は、無線制御部１１８２に、入力部１１６により入力されるべきコンテンツの取得要求を入力する。さらに、入力制御部１１８２は、表示制御部１１８４、及び先行画像処理部１１８６に、入力部１１６により入力されるべき接触位置を表す情報を入力する。さらに、入力制御部１１８２は、呼制御部１１９２に、入力部１１６により入力されるべき呼接続、呼切断を表す情報を入力する。
【００５４】
本携帯端末１００により実行される機能には、呼制御部１１９２により実行される機能が含まれる。呼制御部１１９２は、無線部１１２２との間で、入力制御部１１９０により入力されるべき呼接続、呼切断を表す情報に従って、呼接続、呼切断に関する処理を行う。
【００５５】
その他、プロセッサ１１８は、無線部１０２により入力されるコンテンツが、音の出力を伴うものである場合、オーディオ入出力部１０６に音を出力するための情報を入力する。また、プロセッサ１１８は、マイク１１０からの音声を文字に変換し、表示部１１４に表示するようにしてもよい。
【００５６】
＜携帯端末の処理＞
図７、及び図８は、本携帯端末１００の処理の一実施例を示すフローチャートである。
【００５７】
本携帯端末１００は、部分画面を表示中であるかどうかを判定する（ステップＳ７０２）。つまり、表示制御部１１８４は、コンテンツ領域の一部分を表示中であるかどうかを判定する。
【００５８】
部分画面を表示中でないと判定された場合（ステップＳ７０２：ＮＯ）、本携帯端末１００は、HTML画面を表示する（ステップＳ７０４）。つまり、表示制御部１１８４は、表示部１１４へ、コンテンツ領域の表示を継続する。
【００５９】
部分画面を表示中であると判定された場合（ステップＳ７０２：ＹＥＳ）、本携帯端末１００は、画面へのタッチ（接触）が検出されたかどうかを判定する（ステップＳ７０６）。つまり、表示制御部１１８４は、入力制御部１１９０から接触位置を表す情報が入力されたかどうかに従って、画面へのタッチが検出されたかどうかを判定する。表示制御部１１８４は、入力制御部１１９０から接触位置を表す情報が入力された場合にはタッチが検出されたと判定し、入力されない場合にはタッチが検出されたと判定しない。
【００６０】
タッチが検出されたと判定されない場合（ステップＳ７０６：ＮＯ）、ステップＳ７０２に戻り、部分画面が表示中であるかどうかを判定する処理から実行される。
【００６１】
タッチが検出されたと判定された場合（ステップＳ７０６：ＹＥＳ）、該タッチされた位置は、アンカーで指定されているかどうかを判定する（ステップＳ７０８）。つまり、表示制御部１１８４は、入力制御部１１９０により入力されるべき接触位置が、アンカーで指定された領域に含まれるかどうかを判定することにより、アンカーで指定されているかどうかを判定する。アンカーで指定された領域に含まれる場合にはアンカーで指定されていると判定し、アンカーで指定された領域に含まれない場合にはアンカーで指定されていないと判定する。
【００６２】
アンカーで指定されていると判定された場合（ステップＳ７０８：ＹＥＳ）、本携帯端末１００は、アンカー先の読み込みを行う。つまり、表示制御部１１８４は、アンカーで指定されていると判定した場合、アンカー先の読み込みを行うために、無線制御部１１８２に、アンカー先を表す情報を入力する。例えば、リンク先のURLが入力されてもよい。さらに、表示制御部１１８４は、アンカー先を表す情報への応答として、無線制御部１１８２により入力されるべきアンカー先のコンテンツを表示する。
【００６３】
アンカーで指定されていないと判定された場合（ステップＳ７０８：ＮＯ）、本携帯端末１００は、画像を先読みし、該画像を利用して描画する（ステップＳ７１２）。つまり、表示制御部１１８４は、先行画像処理部１１８６に部分コンテンツ領域に含まれる画像の画像処理の結果を要求する。表示制御部１１８４は、該要求に従って、先行画像処理部１１８６から入力されるべき部分コンテンツ領域に含まれる画像の画像処理の結果を利用して部分コンテンツ領域を表示するための制御を行う。
【００６４】
図８は、図７に示される携帯端末１００の動作において、ステップＳ７１２により実行される処理の一実施例を示すフローチャートである。
【００６５】
携帯端末１００は、タッチエリアを判定する（ステップＳ８０２）。つまり、先行画像処理部１１８６は、入力制御部１１９０により入力されるべき初期接触位置に対応する画面エリアを判定する。
【００６６】
携帯端末１００は、受信されたコンテンツが横長のコンテンツであるかどうかを判定する（ステップＳ８０４）。つまり、先行画像処理部１１８６は、無線制御部１１８２により入力されるコンテンツのサイズが横長であるかどうかを判定する。
【００６７】
横長のコンテンツでないと判定された場合（ステップＳ８０４：ＮＯ）、本携帯端末１００は、縦長コンテンツ用画像先読みテーブルから、タッチエリアに対応する描画のための優先度を取得する（ステップＳ８０６）。つまり、先行画像処理部１１８６は、横長のコンテンツでないと判定した場合、記憶部１１２に格納された画像先読みテーブルのうち、縦長コンテンツ用画像先読みテーブルを参照し、ステップＳ８０２により判定された画面エリアに対応する画像取得エリアの優先順位を取得する。
【００６８】
横長のコンテンツであると判定された場合（ステップＳ８０４：ＹＥＳ）、本携帯端末１００は、横長コンテンツ用画像先読みテーブルから、タッチエリアに対応する描画のための優先度を取得する（ステップＳ８０８）。つまり、先行画像処理部１１８６は、横長のコンテンツであると判定した場合、記憶部１１２に格納された画像先読みテーブルのうち、横長コンテンツ用画像先読みテーブルを参照し、ステップＳ８０２により判定された画面エリアに対応する画像取得エリアの優先順位（優先度）を取得する。
【００６９】
ステップＳ８０６又はステップＳ８０８により画像取得エリアの優先度が取得された後、本携帯端末１００はタッチ非検出となったかどうかを判定する。つまり、先行画像処理部１１８６は、入力制御部１１９０により接触位置が入力されなくなったかどうかを判定することにより、タッチ非検出となったかどうかを判定する。画面に接触されている間は、入力制御部１１９０から、先行画像処理部１１８６に、所定の周期で、接触位置を表す情報が入力される。接触位置が入力されなくなった場合にタッチ非検出となったと判定し、接触位置が入力され続けられている場合にタッチ非検出となったと判定されない。
【００７０】
タッチ非検出となったと判定されない場合（ステップＳ８１０：ＮＯ）、本携帯端末１００は、第１に優先すべき部分エリアに含まれる画像を取得する（ステップＳ８１２）。つまり、先行画像処理部１１８６は、ステップＳ８０６又はステップＳ８０８により取得された優先度に従って、第１に優先すべき部分エリアに含まれる画像を取得する。
【００７１】
タッチ非検出となったと判定された場合（ステップＳ８１０：ＹＥＳ）、本携帯端末１００は、部分エリアに含まれる画像を取得する処理を停止する（ステップＳ８１４）。つまり、先行画像処理部１１８６は、タッチ非検出となったと判定された場合、部分エリアに含まれる画像を取得する処理を停止する。
【００７２】
ステップＳ８１２により第１に優先すべき部分エリアに含まれる画像を取得した後、本携帯端末１００はタッチ非検出となったかどうかを判定する（ステップＳ８１６）。つまり、先行画像処理部１１８６は、入力制御部１１９０により接触位置が入力されなくなったかどうかを判定することにより、タッチ非検出となったかどうかを判定する。接触位置が入力されなくなった場合にタッチ非検出となったと判定し、接触位置が入力され続けられている場合にタッチ非検出となったと判定されない。
【００７３】
タッチ非検出となったと判定されない場合（ステップＳ８１６：ＮＯ）、本携帯端末１００は、第２に優先すべき部分エリアに含まれる画像を取得する（ステップＳ８１８）。つまり、先行画像処理部１１８６は、ステップＳ８０６又はステップＳ８０８により取得された優先度に従って、第２に優先すべき部分エリアに含まれる画像を取得する。
【００７４】
タッチ非検出となったと判定された場合（ステップＳ８１６：ＹＥＳ）、本携帯端末１００は、部分エリアに含まれる画像を取得する処理を停止する（ステップＳ８１４）。つまり、先行画像処理部１１８６は、タッチ非検出となったと判定された場合、部分エリアに含まれる画像を取得する処理を停止する。
【００７５】
ステップＳ８１８により第２に優先すべき部分エリアの画像を取得した後、本携帯端末１００はタッチ非検出となったかどうかを判定する（ステップＳ８２０）。つまり、先行画像処理部１１８６は、入力制御部１１９０により接触位置が入力されなくなったかどうかを判定することにより、タッチ非検出となったかどうかを判定する。接触位置が入力されなくなった場合にタッチ非検出となったと判定し、接触位置が入力され続けられている場合にタッチ非検出となったと判定されない。
【００７６】
タッチ非検出となったと判定されない場合（ステップＳ８２０：ＮＯ）、本携帯端末１００は、第３に優先すべき部分エリアに含まれる画像を取得する（ステップＳ８２２）。つまり、先行画像処理部１１８６は、ステップＳ８０６又はステップＳ８０８により取得された優先度に従って、第３に優先すべき部分エリアの画像を取得する。
【００７７】
タッチ非検出となったと判定された場合（ステップＳ８２０：ＹＥＳ）、本携帯端末１００は、部分エリアに含まれる画像を取得する処理を停止する（ステップＳ８１４）。つまり、先行画像処理部１１８６は、タッチ非検出となったと判定された場合、部分エリアに含まれる画像を取得する処理を停止する。
【００７８】
ステップＳ８２２により第３に優先すべき部分エリアの画像を取得した後、本携帯端末１００はタッチ非検出となったかどうかを判定する（ステップＳ８２４）。つまり、先行画像処理部１１８６は、入力制御部１１９０により接触位置が入力されなくなったかどうかを判定することにより、タッチ非検出となったかどうかを判定する。接触位置が入力されなくなった場合にタッチ非検出となったと判定し、接触位置が入力され続けられている場合にタッチ非検出となったと判定されない。
【００７９】
タッチ非検出となったと判定されない場合（ステップＳ８２４：ＮＯ）、本携帯端末１００は、第４に優先すべき部分エリアに含まれる画像を取得する（ステップＳ８２６）。つまり、先行画像処理部１１８６は、ステップＳ８０６又はステップＳ８０８により取得された優先度に従って、第４に優先すべき部分エリアの画像を取得する。
【００８０】
タッチ非検出となったと判定された場合（ステップＳ８２４：ＹＥＳ）、本携帯端末１００は、部分エリアに含まれる画像を取得する処理を停止する（ステップＳ８１４）。つまり、先行画像処理部１１８６は、タッチ非検出となったと判定された場合、部分エリアの画像を取得する処理を停止する。
【００８１】
本実施例によれば、携帯端末に、コンテンツ領域の一部分しか表示されていない場合に、表示されていない部分の画像を先行して処理する機能が追加される。具体的には、表示領域が仮想的に複数に分割される。ユーザがドラックのためにタッチ（接触）した位置に基づいて、コンテンツ領域のうち、表示領域に隣接する部分コンテンツを取得する順位（順番）を表す優先度が判断される。該優先度に従って、ユーザがタッチした際に、部分コンテンツの取得が実行される。つまり、スクロールが発生しなくても、タッチされた時点で、次にスクロールすると思われる領域の先読みが開始される。タッチされた際に、部分コンテンツの取得が実行されることにより、画面がドラックされた際に、該ドラックに追従して、最低限のタイムロスで、取得された部分コンテンツを表示することができる。つまり、ドラックに追従して、快適に、ビットマップ画面を表示することができる。
【００８２】
さらに、非接触となった場合には、その瞬間に、画像取得処理を停止する。画像取得処理が停止されることにより、消費電力を削減できる。
【００８３】
＜変形例＞
図９は、コンテンツ領域、及び表示領域の一変形例を示す。図９に示される例では、コンテンツ領域は、PS(X0,Y0)、PS(XE,Y0)、PS(X0,YE)、PS(XE,YE)により表される。また、表示領域は、PS((XE-X0)/3, (YE-Y0)/3)、PS(2(XE-X0)/3, (YE-Y0)/3)、PS((XE-X0)/3, 2(YE-Y0)/3)、PS(2(XE-X0)/3, 2(YE-Y0)/3)により表される。さらに、図９に示される例では、コンテンツ領域が９の領域に、仮想的に分割されている。各領域の面積は、表示領域の面積と略同一であってもよい。さらに、図９に示される例では、仮想的に分割された領域が４の領域に、仮想的に分割されている。
【００８４】
本携帯端末１００は、１の領域に相当するコンテンツ領域を表示できる。コンテンツ領域のうち、表示領域に対して、上側の領域を「エリア１」、下側の領域を「エリア２」左側の領域を「エリア３」、右側の領域を「エリア４」と呼ぶ。「エリア１」において、左上の領域を「エリア１−１」、右上の領域を「エリア１−２」、左下の領域を「エリア１−３」、右下の領域を「エリア１−４」と呼ぶ。「エリア２」において、左上の領域を「エリア２−１」、右上の領域を「エリア２−２」、左下の領域を「エリア２−３」、右下の領域を「エリア２−４」と呼ぶ。「エリア３」において、左上の領域を「エリア３−１」、右上の領域を「エリア３−２」、左下の領域を「エリア３−３」、右下の領域を「エリア３−４」と呼ぶ。「エリア４」において、左上の領域を「エリア４−１」、右上の領域を「エリア４−２」、左下の領域を「エリア４−３」、右下の領域を「エリア４−４」と呼ぶ。
【００８５】
本携帯端末１００では、画面が複数の領域に仮想的に分割されることにより複数の画面エリアが形成される。つまり、表示領域が、複数の領域に仮想的に分割される。
【００８６】
図１０は、画面エリアの一実施例を示す。図１０に示される例では、画面が４の分割領域（画面エリアA、画面エリアB、画面エリアC、画面エリアD）に仮想的に分割される例が示される。分割数は、２個−３個であってもよいし、５個以上であってもよい。さらに、図１０に示される例では、画面エリアが４の再分割領域に仮想的に分割される例が示される。分割数は、２個−３個であってもよいし、５個以上であってもよい。
【００８７】
「画面エリアＡ」において、左上の再分割領域を「画面エリアＡ１」、右上の再分割領域を「画面エリアＡ２」、左下の再分割領域を「画面エリアＡ３」、右下の再分割領域を「画面エリアＡ４」と呼ぶ。「画面エリアＢ」において、左上の再分割領域を「画面エリアＢ１」、右上の再分割領域を「画面エリアＢ２」、左下の再分割領域を「画面エリアＢ３」、右下の再分割領域を「画面エリアＢ４」と呼ぶ。「画面エリアＣ」において、左上の再分割領域を「画面エリアＣ１」、右上の再分割領域を「画面エリアＣ２」、左下の再分割領域を「画面エリアＣ３」、右下の再分割領域を「画面エリアＣ４」と呼ぶ。「画面エリアＤ」において、左上の再分割領域を「画面エリアＤ１」、右上の再分割領域を「画面エリアＤ２」、左下の再分割領域を「画面エリアＤ３」、右下の再分割領域を「画面エリアＤ４」と呼ぶ。
【００８８】
本携帯端末１００は、ユーザが画面に触れた際に、接触位置を検出する。さらに、本携帯端末１００は、初期接触位置を検出する。ここで、初期接触位置は、触れた後に離して、再度触れた場合も含まれる。該携帯端末１００は、初期接触位置を含む分割領域を検出する。図１０では、初期接触位置を含む分割領域が画面エリアDである例を示す。さらに、本変形例では、初期接触位置を含む再分割領域を検出する。図１０では、初期接触位置を含む再分割領域が画面エリアD３である例を示す。
【００８９】
該携帯端末１００では、画面エリアと、該画面エリアに初期接触位置が含まれる場合に、優先して画像を取得すべき部分コンテンツ領域とが対応付けられる。具体的に説明する。該携帯端末１００では、画面エリアと、該画面エリアに初期接触位置が含まれる場合に、該初期接触位置から接触位置がずれる可能性が高い方向とが対応付けられる。ここで、画面エリアは、再分割領域に対応するものである。該接触位置がずれる可能性が高い方向は上下、左右により表されてもよい。さらに、斜め方向により表されてもよい。初期接触位置から接触位置がずれる可能性が高い方向の順番が設定されてもよい。さらに、該携帯端末１００では、コンテンツ領域のうち、表示領域に対して、部分コンテンツ領域が設定される。
【００９０】
該携帯端末１００は、ユーザが画面に触れた際に、初期接触位置に基づいて、部分コンテンツ領域を表示するための処理を実行する。具体的には、初期接触位置に基づいて、部分コンテンツ領域の画像を取得する処理を実行する。画像を取得する処理は、初期接触位置から接触位置がずれる可能性が高い方向の順に実行されてもよい。
【００９１】
該携帯端末１００は、画面先読みテーブルを有する。
【００９２】
＜画像先読みテーブル＞
図１１は、画像先読みテーブルの一実施例を示す。図１１には、縦の長さが横の長さよりも長いコンテンツ領域について示される。図１１に示される例では、再分割領域に対応する画面エリアと、該画面エリアに初期接触位置が含まれる場合に優先して画像を取得すべき部分コンテンツ領域とが対応付けられる。本変形例では、上述した実施例と、部分コンテンツ領域として指定される範囲が異なる。
【００９３】
具体的には、接触位置に基づいて、該接触位置から、接触位置が移動できる範囲と略同一のエリアが部分コンテンツ領域として指定される。
【００９４】
例えば、初期接触位置がエリアD1に含まれ、該初期接触位置から接触位置が移動した場合について考える。該移動できる領域は、上下方向については表示画面の上下方向の半分程度の長さであり、左右方向については表示画面の左右方向の半分程度の長さ程度であると想定される。
【００９５】
また、例えば、初期接触位置がエリアD２に含まれ、該初期接触位置から接触位置が移動した場合について考える。該移動できる領域は、上下方向については表示画面の上下方向の半分程度の長さであり、左方向については表示画面の左右方向の長さ程度であり、右方向については表示画面の左右方向の半分の長さ程度であると想定される。
【００９６】
また、例えば、初期接触位置がエリアD3に含まれ、該初期接触位置から接触位置が移動した場合について考える。該移動できる領域は、上方向については表示画面の上下方向の長さ程度であり、下方向については表示画面の上下方向の半分の程度長さであり、左右方向については表示画面の左右方向の半分程度の長さ程度であると想定される。
【００９７】
また、例えば、初期接触位置がエリアD4に含まれ、該初期接触位置から接触位置が移動した場合について考える。該移動できる領域は、上方向については表示画面の上下方向程度の長さであり、下方向については表示画面の上下方向の半分程度の長さであり、左方向については表示画面の左右方向の長さ程度であり、右方向については表示画面の左右方向の半分の長さ程度であると想定される。
【００９８】
従って、初期接触位置を含む画面エリアに応じて、優先して取得すべき画像を含む部分コンテンツ領域の面積が異なる。
【００９９】
図１１は、画像先読みテーブルの一変形例を示す。図１１には、一例として、画像エリアとして、画像エリアD1−画像エリアD4のいずれかに、初期接触位置が含まれる場合に、優先して画像を取得すべき部分エリア領域が示される。他の画像エリアについても、同様の画像先読みテーブルが作成される。
【０１００】
初期接触位置がエリアD1に含まれる場合、該初期接触位置から、下、右に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、上、左、下、右の順であると想定される。従って、画面エリアD1に対応する部分コンテンツを取得する順番は、エリア（２−１、２−２）、エリア（４−１、４−３）、エリア（１−３、１−４）、エリア（３−２、３−４）の順となる。ここで、括弧に含まれるエリアについては、優先度が等しいこと示す。つまり、同時に、括弧に含まれる部分コンテンツ領域の画像が取得される。以下同様である。
【０１０１】
初期接触位置がエリアD2に含まれる場合、該初期接触位置から、下、右に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、上、左、下、右の順であると想定される。従って、画面エリアD2に対応する部分コンテンツを取得する順番は、エリア（２−１、２−２）、エリア４（４−１、４−２、４−３、４−４）、エリア（１−３、１−４）、エリア（３−２、３−４）の順となる。
【０１０２】
初期接触位置がエリアD3に含まれる場合、該初期接触位置から、下、左に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、上、右、下、左の順であると想定される。従って、画面エリアD3に対応する部分コンテンツを取得する順番は、エリア２（２−１、２−２、２−３、２−４）、エリア（４−１、４−３）、エリア（１−３、１−４）、エリア（３−２、３−４）の順となる。
【０１０３】
初期接触位置がエリアＤ4に含まれる場合、該初期接触位置から、下、右に接触位置がずれる可能性は低いと想定される。さらに、コンテンツ領域は、縦の長さが横の長さよりも長いため、左右よりも、上下に接触位置がずれる可能性が高いと想定される。この場合、接触位置がずれる可能性が高い方向は、上、左、下、右の順であると想定される。従って、画面エリアＤ４に対応する部分コンテンツを取得する順番は、エリア２（２−１、２−２、２−３、２−４）、エリア４（４−１、４−２、４−３、４−４）、エリア（１―３、１−４）、エリア（３―２、３−４）の順となる。
【０１０４】
コンテンツ領域の縦の長さが横の長さよりも短い場合の画像先読みテーブルついても同様に用意される。
【０１０５】
本携帯端末１００は、画像先読みテーブルを参照して、初期接触位置を含む画面エリアに基づいて、部分コンテンツ領域に含まれる画像を取得する。該部分コンテンツ領域の面積が、画面エリアによって異なる。
【０１０６】
本携帯端末１００は、図５、図６を参照して説明した携帯端末を略同一である。
【０１０７】
本携帯端末１００の動作については、図７、図８を参照して説明した動作を略同一である。
【０１０８】
本変形例によれば、初期接触位置が含まれる画面エリアに応じて取得すべき部分コンテンツ領域の範囲を異ならせることができるため、該部分コンテンツ領域に含まれる画像を取得する際の演算負荷を低減できる。さらに、取得した画像を格納するためのメモリの容量も低減できる。
【符号の説明】
【０１０９】
１００  携帯端末
１０２  無線部
１０４  アンテナ
１０６  オーディオ入出力部
１０８  スピーカ
１１０  マイク
１１２  記憶部
１１２２  ROM
１１２４  RAM
１１４  表示部
１１６  入力部
１１８  プロセッサ
１１８２  無線制御部
１１８４  表示制御部
１１８６  先行画像処理部
１１８８  レンダリング部
１１９０  入力制御部
１１９２  呼制御部
【図１】
2012194794.tif 000003
【図２】
2012194794.tif 000004
【図３】
2012194794.tif 000005
【図４】
2012194794.tif 000006
【図５】
2012194794.tif 000007
【図６】
2012194794.tif 000008
【図７】
2012194794.tif 000009
【図８】
2012194794.tif 000010
【図９】
2012194794.tif 000011
【図１０】
2012194794.tif 000012
【図１１】
2012194794.tif 000013